(57)【要約】【課題】リモコンを向けることが可能な照明装置の制御のみならず、リモコンを向けることができない離れた場所の照明装置に対しても、制御ができる照明システムを提供する。【解決手段】商用交流電源の電力線１０に接続されると共に赤外線受光部１１ａ，１２ａを備えた制御情報発信装置１１，１２、赤外線発光部２１ａを備えたリモート端末装置２１、及び、単又は複数の照明装置１，２でなる照明システムを構成する。この照明システムでは、上記照明装置１，２は、信号受信部１ａ１，２ａ１、電力受給制御部１ａ２，２ａ２、及び、照明部１ａ３，２ａ３、で構成される照明ユニット１ａ，２ａを備えており、これらを上記照明装置１，２に一体的に組込むと共に、制御情報発信装置１１，１２を上記照明装置１，２に一体的に付設して上記照明装置１，２を形成する。【選択図】図４
2007005019.tif 000002
【特許請求の範囲】
【請求項１】
商用交流電源の電力線に接続されると共に赤外線受光部を備えた制御情報発信装置、赤外線発光部を備えたリモート端末装置、及び、単又は複数の独立して設置される照明装置が、システム構成要素として備えられており、該照明装置は、前記電力線に接続された信号受信部、該信号受信部と前記電力線とに接続された電力受給制御部、及び、該電力受給制御部に接続され該電力受給制御部を介して前記電力線から電力供給を受ける照明部で構成される照明ユニットを備えている照明システムであって、
前記照明装置には、前記照明ユニットに用いられている信号受信部、電力受給制御部、及び、照明部が一体的に組込まれていると共に、前記制御情報発信装置が一体的に付設されており、
該制御情報発信装置に向けて前記リモート端末装置が操作され、該リモート端末装置が向けられている該制御情報発信装置が付設されている照明装置、又は、それ以外の照明装置が有する照明ユニットを指定するアドレス情報、及び、該照明ユニットに対する制御情報が含まれる赤外線信号が、該リモート端末装置の赤外線発光部から発信されて該制御情報発信装置の赤外線受光部に受信されると、該制御情報発信装置は、前記アドレス情報及び前記制御情報を含むブロードキャスト信号を生成すると共に前記電力線に重畳して発信し、
該ブロードキャスト信号を、前記照明装置における照明ユニットの信号受信部が受信すると共に、該ブロードキャスト信号に含まれる前記アドレス情報で指定される照明ユニットの電力受給制御部が、該ブロードキャスト信号に含まれる前記制御情報に基づき、該電力受給制御部に接続された照明部の制御を行うことを特徴とする照明システム。
【請求項２】
複数の前記照明ユニットを備えており、該照明ユニットに用いられている全ての前記信号受信部、前記電力受給制御部、及び、前記照明部が一体的に組込まれていると共に、前記制御情報発信装置が一体的に付設されている単又は複数の独立して設置される照明装置が、前記照明システムにおける前記照明装置の少なくとも一つに代えて、前記システム構成要素として備えられている請求項１記載の照明システム。
【請求項３】
複数の前記照明ユニットを備えており、該照明ユニットに用いられている全ての前記信号受信部、及び、前記電力受給制御部と、一部の前記照明ユニットに用いられている前記照明部とが一体的に組込まれていると共に、前記制御情報発信装置が一体的に付設されている単又は複数の独立して設置される照明装置であって、前記一部の照明ユニット以外の前記照明ユニットに用いられている前記照明部が、該照明装置から独立して設置される該照明装置が、前記照明システムにおける前記照明装置の少なくとも一つに代えて、前記システム構成要素として備えられている請求項１又は２記載の照明システム。
【請求項４】
赤外線受光部を備えており前記電力線に接続されると共に独立して設置される制御情報発信装置が、前記システム構成要素として備えられており、
前記リモート端末装置が、該制御情報発信装置に向けて操作されることにより、該リモート端末装置から前記赤外線信号が発信されて、該制御情報発信装置の赤外線受光部に受信されると、該制御情報発信装置は、前記ブロードキャスト信号を生成すると共に、前記電力線に重畳して発信する請求項１〜３のいずれか１項に記載の照明システム。
【請求項５】
スイッチを備えていると共に前記電力線に接続されて独立して設置される制御情報発信装置が、前記システム構成要素として備えられており、
該制御情報発信装置は、前記スイッチが操作されると、前記ブロードキャスト信号を生成すると共に、前記電力線に重畳して発信する請求項１〜４のいずれか１項に記載の照明システム。
【請求項６】
赤外線受光部及びスイッチを備えていると共に前記電力線に接続されて独立して設置される制御情報発信装置が、前記システム構成要素として備えられており、
該制御情報発信装置に向けて、前記リモート端末装置が操作されることにより、該リモート端末装置から前記赤外線信号が発信されて、該制御情報発信装置の赤外線受光部に受信されると、又は、該制御情報発信装置のスイッチが操作されると、該制御情報発信装置は、前記ブロードキャスト信号を生成すると共に、前記電力線に重畳して発信する請求項１〜５のいずれか１項に記載の照明システム。
【請求項７】
前記照明装置の照明ユニットには、該照明ユニットを識別する照明ユニットアドレスが付与されており、前記アドレス情報は、該照明ユニットアドレスを表していると共に、前記ブロードキャスト信号は、前記アドレス情報と、前記制御情報を含むデータ情報とで構成されており、
前記制御情報発信装置により、前記電力線に重畳されて発信された前記ブロードキャスト信号は、全ての前記照明装置における照明ユニットの信号受信部により受信されると共に、
前記ブロードキャスト信号のアドレス情報が表す照明ユニットアドレスが付与されている照明ユニットの電力受給制御部のみが、前記ブロードキャスト信号のデータ情報に含まれる制御情報に基づき、該電力受給制御部に接続された照明部の前記制御を行う請求項１〜６のいずれか１項に記載の照明システム。
【請求項８】
照明モニタ装置が前記システム構成要素として備えられており、
該照明モニタ装置は、前記電力線に接続された信号受信部を備えると共に、表示部を備えており、
前記照明装置の照明ユニットは、前記電力線及び前記電力受給制御部に接続された状態情報発信部を備えており、
前記照明装置において、前記ブロードキャスト信号のアドレス情報が表す照明ユニットアドレスが付与されている照明ユニットの信号受信部により前記ブロードキャスト信号が受信されると、該照明ユニットの前記状態情報発信部は、前記ブロードキャスト信号のデータ情報に含まれる制御情報により該照明ユニットの電力受給制御部が制御された後における該照明ユニットの状態情報を含むデータ情報と、該照明ユニットの照明ユニットアドレスを表すアドレス情報とで構成されるブロードキャスト信号を生成すると共に、前記電力線に重畳して発信し、
前記照明モニタ装置の信号受信部は、前記ブロードキャスト信号を受信すると共に、前記照明モニタ装置の表示部は、前記ブロードキャスト信号のアドレス情報と、データ情報に含まれる状態情報とを相互に対応させて表示する請求項７記載の照明システム。
【請求項９】
前記照明モニタ装置に代えて、又は、前記照明モニタ装置と共に、照明監視制御装置が、前記システム構成要素として備えられており、
該照明監視制御装置は、前記照明モニタ装置と制御情報発信装置とで構成され、該制御情報発信装置は、前記照明ユニットアドレスに対応したスイッチを備えていると共に前記電力線に接続されており、
前記制御情報発信装置に備えられた前記スイッチが操作されると、該制御情報発信装置は、前記スイッチに対応した前記照明ユニットアドレスを表すアドレス情報と、該照明ユニットアドレスが付与された前記照明ユニットに対する制御情報を含むデータ情報とで構成されブロードキャスト信号を生成すると共に、前記電力線に重畳して発信する請求項８記載の照明システム。
【発明の詳細な説明】
【技術分野】
【０００１】
本発明は、住宅等の照明に使用される照明システム、詳しくは、照明装置に電力を供給する商用交流電源の電力線に重畳される信号を用いて照明装置を制御する照明システムに関する。
【背景技術】
【０００２】
従来から、室内等の照明に使用される照明装置は、壁等に設置されたスイッチによりＯＮ、ＯＦＦされるのが一般的であるが、この方式では、遠隔操作が困難である。そこで、遠隔操作が可能な照明システムが種々提案されている（例えば、特許文献１参照）。
【０００３】
特許文献１は、建物内における照明器具等の設備機器の遠隔制御システムに関するものである。この遠隔制御システムは、受信機を備えた照明器具等の制御対象機器を商用交流電源の電力線に接続すると共に、この電力線に送信親機を接続し、この送信親機に無線方式のリモコンを用いて信号を送信することにより、送信親機から電力線に信号を重畳し、この信号を受信機が受信して制御対象機器を制御するものである。
【特許文献１】特公平３−７３２０号公報
【発明の開示】
【発明が解決しようとする課題】
【０００４】
ところで、照明装置等の制御対象機器をリモコンにより制御する場合、リモコン操作者にとっては、リモコンを制御対象機器である照明装置等に向けて行うのが、制御しようとする制御対象機器を容易に認識することができ、リモコン操作者の意思とは異なる制御対象機器をリモコンで制御しようとするミスを防ぐことができる。
【０００５】
しかしながら、上記の特許文献１に記載の従来例のシステムでは、制御対象機器である照明器具等とは異なる送信親機にリモコンを向けて操作するものであり、制御しようとする制御対象機器の認識が容易ではないという問題があった。又、上記の特許文献１に記載の従来例のシステムでは、送信親機を１台しか使用することができず、送信親機が隣の部屋等、リモコン操作者がいる所から離れた場所に設置されているような場合に対処するには、電力線に接続した中継器を別途設置する必要があるという問題があった。
【０００６】
そこでこの発明は、上記の問題を解決するためになされたものであって、リモコンを照明装置に向けて操作することにより照明装置の制御を行うことができると共に、リモコン操作者がいる場所とは異なる場所に設置されておりリモコンを向けることができないような照明装置に対しても遠隔操作ができる照明システムを提供しようとするものである。
【課題を解決するための手段】
【０００７】
本発明の照明システムは、商用交流電源の電力線に接続されると共に赤外線受光部を備えた制御情報発信装置、赤外線発光部を備えたリモート端末装置、及び、単又は複数の独立して設置される照明装置が、システム構成要素として備えられた照明システムである。この内、照明装置は、電力線に接続された信号受信部、該信号受信部と電力線とに接続された電力受給制御部、及び、該電力受給制御部に接続され該電力受給制御部を介して電力線から電力供給を受ける照明部で構成される照明ユニットを備えている。この照明装置には、照明ユニットに用いられている信号受信部、電力受給制御部、及び、照明部が一体的に組込まれていると共に、制御情報発信装置が一体的に付設されている。
【０００８】
上記の照明システムでは、制御情報発信装置に向けてリモート端末装置が操作され、このリモート端末装置が向けられている制御情報発信装置が付設されている照明装置、又は、それ以外の照明装置が有する照明ユニットを指定するアドレス情報、及び、照明ユニットに対する制御情報が含まれる赤外線信号が、リモート端末装置の赤外線発光部から発信されて制御情報発信装置の赤外線受光部に受信されると、制御情報発信装置は、アドレス情報及び制御情報を含むブロードキャスト信号を生成すると共に電力線に重畳して発信する。
【０００９】
この電力線に重畳されたブロードキャスト信号を、照明装置における照明ユニットの信号受信部が受信すると共に、該ブロードキャスト信号に含まれるアドレス情報で指定される照明ユニットの電力受給制御部が、該ブロードキャスト信号に含まれる制御情報に基づき、該電力受給制御部に接続された照明部の制御を行うことを特徴としている。
【００１０】
上記の照明システムによれば、照明装置には制御情報発信装置が付設されており、リモート端末装置をこの制御情報発信装置に向けて操作することにより、リモート端末装置が向けられた照明装置に備えられている照明ユニットを制御することができる。即ち、リモート端末装置が向けられている制御情報発信装置が付設されている照明装置が備える照明ユニットを指定するアドレス情報、及び、この照明ユニットに対する制御情報を含む赤外線信号を、リモート端末装置の赤外線発光部から発信させて制御情報発信装置の赤外線受光部に受信させる。すると、制御情報発信装置は、アドレス情報及び制御情報を含むブロードキャスト信号を生成すると共に電力線に重畳する。
【００１１】
このブロードキャスト信号を、照明装置における照明ユニットの信号受信部が受信して、このブロードキャスト信号に含まれるアドレス情報で指定される照明ユニット、つまり、リモート端末装置が向けられた照明装置に備えられている照明ユニットの電力受給制御部が、このブロードキャスト信号に含まれる制御情報に基づき、この電力受給制御部に接続された照明部の制御を行うのである。従って、リモート端末装置を、制御対象機器である照明装置に向けて操作することにより、この照明装置の制御を行うことができる。
【００１２】
又、上記の照明システムによれば、リモート端末装置を照明装置に付設されている制御情報発信装置に向けて操作することにより、リモート端末装置が向けられた制御情報発信装置が付設されている照明装置以外の照明装置の照明ユニットに対しても、制御することができる。即ち、リモート端末装置が向けられている制御情報発信装置が付設されている照明装置以外の照明装置が有する照明ユニットを指定するアドレス情報、及び、該照明ユニットに対する制御情報を含む赤外線信号を、リモート端末装置の赤外線発光部から発信させて制御情報発信装置の赤外線受光部に受信させることにより、上記と同様にして、リモート端末装置が向けられた制御情報発信装置が付設されている照明装置以外の照明装置の照明ユニットを、制御することができる。
【００１３】
つまり、リモート端末装置から、このリモート端末装置を向ける照明装置以外の照明装置の制御を指示するように信号を送信することで、リモート端末装置の操作者がいる所から離れた場所に設置されていて、リモート端末装置を直接向けることができない照明装置に対しても制御することができる。従って、上記の照明システムを用いることにより、遠隔操作が可能な照明システムを構築することができる。
【００１４】
上記の照明システムにおいて、上記の照明システムにおける照明装置の少なくとも一つに代えて、以下に示す単又は複数の独立して設置される照明装置を、システム構成要素として新たに備えるようにしてもよい。この照明装置は、複数の照明ユニットを備えており、該照明ユニットに用いられている全ての信号受信部、電力受給制御部、及び、照明部がこの照明装置に一体的に組込まれていると共に、制御情報発信装置が一体的に付設されている照明装置である。
【００１５】
或いは、上記の照明システムにおいて、上記の照明システムにおける照明装置の少なくとも一つに代えて、上記の照明装置とは異なる以下に示す単又は複数の独立して設置される照明装置を、システム構成要素として新たに備えるようにしてもよい。この照明装置は、上記の照明装置と同様に、複数の照明ユニットを備えている。しかし、この照明装置は、上記の照明装置とは異なり、該照明ユニットに用いられている全ての信号受信部、及び、電力受給制御部と、一部の照明ユニットに用いられている照明部とが一体的に組込まれていると共に、制御情報発信装置が一体的に付設されている。そして、上記一部の照明ユニット以外の照明ユニットに用いられている照明部は、この照明装置から独立して設置されるような照明装置である。
【００１６】
上記の照明装置は、個別に制御可能な複数の照明ユニット、即ち、個別に制御可能な複数の照明部を備えているので、上記の照明システムにおいて、多様な形態の照明装置を構成要素とすることができる。
【００１７】
上記の照明システムにおいて、上記の照明装置に付設される制御情報発信装置とは別に、独立して設置される制御情報発信装置を、システム構成要素として備えるようにしてもよい。この独立して設置される制御情報発信装置は、赤外線受光部を備えており電力線に接続されている。
【００１８】
又、この制御情報発信装置は、リモート端末装置がこの制御情報発信装置に向けて操作されることにより、リモート端末装置から赤外線信号が発信されてこの制御情報発信装置の赤外線受光部に受信されると、ブロードキャスト信号を生成すると共に、電力線に重畳して発信する。
【００１９】
上記の制御情報発信装置では、この制御情報発信装置に、室内の壁等に設けられたコンセントに挿入可能なプラグを備えることによって、このプラグをコンセントに挿入して電力線に接続することにより設置することができる。従って、この制御情報発信装置の設置を容易に行うことができる。
【００２０】
又、リモート端末装置を照明装置に付設された制御情報発信装置に向けて操作するのに代えて、上記の独立して設置される制御情報発信装置に向けて操作することにより、照明装置の制御を行うことができるので、操作の選択肢を増やすことができる。
【００２１】
上記の照明システムにおいて、上記の制御情報発信装置とは異なる別の、独立して設置される制御情報発信装置を、システム構成要素として備えるようにしてもよい。この制御情報発信装置は、スイッチを備えていると共に電力線に接続されており、このスイッチが操作されると、照明装置の電力受給制御部を制御する制御情報を含むブロードキャスト信号を生成すると共に、電力線に重畳して発信する。
【００２２】
上記の制御情報発信装置では、この制御情報発信装置に、上述した制御情報発信装置と同様、室内の壁等に設けられたコンセントに挿入可能なプラグを備えることによって、このプラグをコンセントに挿入して電力線に接続設置することができる。従って、この制御情報発信装置の設置を容易に行うことができる。
【００２３】
さらに、上記の制御情報発信装置では、リモート端末装置を照明装置に付設された制御情報発信装置に向けて操作するのに代えて、上記の制御情報発信装置に備えられたスイッチを操作することにより、照明装置の制御を行うことができるので、操作の選択肢を増やすことができる。
【００２４】
上記の照明システムにおいて、電力線に接続されると共に、上述した赤外線受光部とスイッチの双方を備えた制御情報発信装置を、システム構成要素として備えるようにしてもよい。この制御情報発信装置は、上述した赤外線受光部とスイッチの双方を備えているので、この制御情報発信装置を用いることにより、上述の説明における赤外線受光部を備えた制御情報発信装置を用いる場合の作用、効果、及び、スイッチを備えた制御情報発信装置を用いる場合の作用、効果の双方の作用、効果を備えている。
【００２５】
又、上記の照明システムにおいて、以下のようにするのが好ましい。即ち、照明装置の照明ユニットに、この照明ユニットを識別する照明ユニットアドレスを付与すると共に、上述したアドレス情報は、照明ユニットアドレスを表すものとする。又、上述したブロードキャスト信号は、上記のアドレス情報と、上述した制御情報を含むデータ情報とで構成するのである。
【００２６】
このブロードキャスト信号は、制御情報発信装置により電力線に重畳されて発信されると共に、全ての照明装置における照明ユニットの信号受信部により受信される。そして、ブロードキャスト信号のアドレス情報が表す照明ユニットアドレスが付与されている照明ユニットの電力受給制御部のみが、ブロードキャスト信号のデータ情報に含まれる制御情報に基づき、この電力受給制御部に接続された照明部の制御を行うようにするのである。
【００２７】
このようにすることにより、信号の送受信を行うに際し、送信元と受信先とを限定する必要がないので、信号の送受信をシンプルな仕組みで行うことができる。即ち、受信させたい照明ユニットに付与されている照明ユニットアドレスを表すアドレス情報とこの照明ユニットに対する制御情報を含むデータ情報とで構成されるブロードキャスト信号を、制御情報発信装置により電力線に重畳して発信するのみで、このブロードキャスト信号が全ての照明装置における照明ユニットの信号受信部により受信されるというシンプルな仕組みの送受信が可能である。従って、制御情報発信装置と、照明装置における照明ユニットの信号受信部とをシンプルに構成することができる。
【００２８】
又、上記の照明システムにおいて、照明モニタ装置をシステム構成要素として備えるようにしてもよい。この照明システムにおける照明モニタ装置は、表示部と信号受信部とを備えており、信号受信部は、電力線に接続されている。又、この照明システムにおける照明装置の照明ユニットには、電力線及び電力受給制御部に接続された状態情報発信部が備えられている。
【００２９】
この照明システムでは、ブロードキャスト信号のアドレス情報が表す照明ユニットアドレスが付与されている照明ユニットの信号受信部により、ブロードキャスト信号が受信されると、この照明ユニットの状態情報発信部により、次の処理が行われる。即ち、ブロードキャスト信号のデータ情報に含まれる制御情報によりこの照明ユニットの電力受給制御部が制御された後のこの照明ユニットの状態情報を含むデータ情報と、この照明ユニットの照明ユニットアドレスを表すアドレス情報とで構成されるブロードキャスト信号が生成されると共に、電力線に重畳されて発信されるのである。
【００３０】
又、この照明システムでは、照明モニタ装置の信号受信部により、上記のブロードキャスト信号が受信されると共に、照明モニタ装置の表示部により、ブロードキャスト信号のアドレス情報と、データ情報に含まれる状態情報とが、相互に対応させて表示される。
【００３１】
このようにすることにより、照明システムを構成する各照明装置における照明ユニットの制御状況を表示させることができ、従って、これらの制御状況を、容易に把握することができる。
【００３２】
又、上記の照明モニタ装置をシステム構成要素として備える照明システムにおいて、照明監視制御装置を、照明モニタ装置に代えて、又は、照明モニタ装置と共に、システム構成要素として備えるようにしてもよい。この照明システムにおける照明監視制御装置は、上記の照明モニタ装置と制御情報発信装置とで構成されており、この制御情報発信装置は、照明ユニットアドレスに対応したスイッチを備えていると共に電力線に接続されている。
【００３３】
この照明システムでは、照明監視制御装置を構成する制御情報発信装置に備えられたスイッチが操作されると、この制御情報発信装置により、操作されたスイッチに対応する照明ユニットアドレスが付与された照明ユニットの電力受給制御部に対する制御情報を含むブロードキャスト信号が生成されると共に、電力線に重畳されて発信される。そして、このブロードキャスト信号に基づき、照明装置の照明ユニットが制御される。
【００３４】
又、上記の照明監視制御装置を構成する照明モニタ装置の表示部により、上述した照明モニタ装置と同様、照明装置の照明ユニットが発信するブロードキャスト信号のアドレス情報に含まれる照明ユニットアドレスとデータ情報に含まれる状態情報とが、相互に対応させて表示される。従って、上記の照明監視制御装置の操作と監視により、この照明システムにおける照明装置の制御とその状態監視を行うことができる。
【発明の効果】
【００３５】
本発明の照明システムによれば、照明装置には制御情報発信装置が付設されており、リモート端末装置をこの制御情報発信装置に向けて操作することにより、リモート端末装置が向けられた制御情報発信装置が付設されている照明装置の照明ユニットを制御することができる。つまり、リモート端末装置から、このリモート端末装置を向ける照明装置の照明ユニットの制御を指示するように信号を送信することで、リモート端末装置を向けた照明装置を制御することができる。
【００３６】
又、同様にして、リモート端末装置が向けられた制御情報発信装置が付設されている照明装置とは異なる照明装置の照明ユニットに対しても、制御することができる。つまり、リモート端末装置から、このリモート端末装置を向ける照明装置以外の照明装置における照明ユニットの制御を指示するように信号を送信することで、リモート端末装置の操作者がいる所から離れた場所に設置されていて、リモート端末装置を直接向けることができない照明装置に対しても制御することができる。従って、遠隔操作が可能な照明システムを構築することができる。
【発明を実施するための最良の形態】
【００３７】
以下、本実施の形態における照明システムについて、図面を参照しながら詳しく説明する。
【００３８】
＜実施の形態１＞
実施の形態１における照明システムは、リモート端末装置、制御情報発信装置、照明装置、及び、照明モニタ装置で構成されている。この内、制御情報発信装置、照明装置、及び、照明モニタ装置は、商用交流電源の電力線に接続されていると共に、制御情報発信装置は、照明装置に一体的に付設されている。実施の形態１では、照明装置は、具体的には２台が用いられているが、１台でもよく、或いは、３台以上でもよい。
【００３９】
この照明システムでは、各照明装置が備える照明ユニットに照明ユニットアドレスが付与されており、制御しようとする照明ユニットの照明ユニットアドレス及び制御内容を、リモート端末装置から制御情報発信装置に送信する。すると、制御情報発信装置は、照明ユニットアドレスを示すアドレス情報と制御情報を含むデータ情報とで構成されるブロードキャスト信号を生成して、電力線に重畳して発信する。このブロードキャスト信号を照明装置の照明ユニットが受信することにより、照明装置の制御が行われる。
【００４０】
又、制御が行なわれた照明装置の照明ユニットは、制御後の照明ユニットの状態情報を含むデータ情報と、この照明ユニットの照明ユニットアドレスを表すアドレス情報とで構成されるブロードキャスト信号を生成して、電力線に重畳して発信する。この、ブロードキャスト信号を照明モニタ装置が受信することにより、照明装置の状態が照明モニタ装置で表示される。
【００４１】
図１は、実施の形態１における照明システムで使用される上記のブロードキャスト信号の構成を示した構成図である。図１において、ブロードキャスト信号は、アドレス情報を表す上位４ビット（Ｂ７〜Ｂ４）とデータ情報を表す下位４ビット（Ｂ３〜Ｂ０）の合計８ビットで構成されている。
【００４２】
図２は、上位４ビット（Ｂ７〜Ｂ４）で表されるアドレス情報の構成を示したテーブルである。アドレス情報としては、Ｂ７〜Ｂ４がすべて０の０Ｈ（Ｈは１６進数であることを表す）アドレスを使用しないので、実施の形態１では、ＡＤ１（１Ｈ）〜ＡＤ１５（ＦＨ）の１５個が使用可能である。これらの照明ユニットアドレスＡＤ１〜ＡＤ１５のアドレス情報は、図２のテーブルに示すように構成されている。
【００４３】
図３は、下位４ビット（Ｂ３〜Ｂ０）で表されるデータ情報の構成を示したテーブルである。データ情報としては、照明装置の照明ユニットに対する制御の内容を表す制御情報と、照明装置の照明ユニットの状態を表す状態情報とが用意されている。制御情報としては、照明ユニットをＯＮするＯＮ指令と、照明ユニットをＯＦＦするＯＦＦ指令とが用いられており、状態情報としては、照明ユニットがＯＮしていることを表すＯＮ状態と、照明ユニットがＯＦＦしていることを表すＯＦＦ状態とが用いられている。尚、上述したブロードキャスト信号に関する説明は、後述する全ての実施の形態における照明システムにおいて、共通して適用される。
【００４４】
図４は、実施の形態１における照明システムの構成を示したブロック図である。図４において、実施の形態１における照明システムは、電力線１０に接続された、＃１照明装置１、＃１制御情報発信装置１１、＃２照明装置２、＃２制御情報発信装置１２、及び、照明モニタ装置３１と、リモート端末装置２１とで構成されている。この内、＃１照明装置１は、一つの照明ユニットである＃１Ａ照明ユニット１ａで構成されており、この＃１Ａ照明ユニット１ａには、照明ユニットアドレスＡＤ１が付与されている。又、＃２照明装置２は、同じく一つの照明ユニットである＃２Ａ照明ユニット２ａで構成されており、この＃２Ａ照明ユニット２ａには、照明ユニットアドレスＡＤ２が付与されている。以下、上記の各装置に関し、その構成及び動作について説明する。
【００４５】
まず、リモート端末装置２１について説明する。図５は、リモート端末装置２１の外観を示した外観図である。リモート端末装置２１は、直方体状のケースを備えており、このケースの表面の上部に赤外線発光部２１ａが備えられている。又、ケースの表面には、テンキー２１ｂ、アドレスキー２１ｃ、ＯＮキー２１ｄ、及び、ＯＦＦキー２１ｅが備えられている。又、リモート端末装置２１の内部には、マイクロコンピュータが内蔵されており、このマイクロコンピュータにより、リモート端末装置２１で必要な制御が行なわれる。又、このリモート端末装置２１を用いた操作は、制御しようとする際に、リモート端末装置２１を制御情報発信装置に向けて行われる。ここでは、以下における説明としては、リモート端末装置２１が＃１照明装置１の＃１制御情報発信装置１１に向けて操作される場合を基本として行っている。
【００４６】
テンキー２１ｂは、制御しようとする照明装置における照明ユニットの照明ユニットアドレスＡＤ１〜ＡＤ１５を入力するのに用いられる。このアドレスは、１〜１５の数字で表され、この数字を、テンキー２１ｂにより入力する。例えば、＃１照明装置１の＃１Ａ照明ユニット１ａを制御しようとする場合は、テンキー２１ｂから「１」を入力し、＃２照明装置２を制御しようとする場合は、テンキー２１ｂから「２」を入力する。アドレスキー２１ｃは、テンキー２１ｂにより入力されたアドレス番号を確定するのに用いられるキーであり、テンキー２１ｂで数字を入力した後に押されることにより、テンキー２１ｂで入力した数字がアドレスを示す番号として確定される。
【００４７】
ＯＮキー２１ｄは、照明装置を点灯させたい場合に押すキーであり、ＯＦＦキー２１ｅは、照明装置を消灯させたい場合に押すキーであり、いずれも、アドレスキー２１ｃを押した後に押すことで操作される。ＯＮキー２１ｄ又はＯＦＦキー２１ｅのいずれかが押されると、それまでに入力された照明ユニットアドレスを表す数字データと、ＯＮ又はＯＦＦの制御指示データとを含む信号が、リモート端末装置２１に内蔵されているマイクロコンピュータで生成されて、この信号が重畳された赤外線が、赤外線発光部２１ａから発光される。この赤外線は、リモート端末装置２１が向けられた制御情報発信装置で受光される。
【００４８】
尚、上記のリモート端末装置２１において、リモート端末装置２１のアドレスキー２１ｃを設けずに、テンキー２１ｂによりアドレス番号を入力後、すぐにＯＮキー２１ｄ又はＯＦＦキー２１ｅを押すようにしてもよい。
【００４９】
次に、＃１制御情報発信装置１１について説明する。図４において、＃１制御情報発信装置１１は、上述したように、＃１照明装置１に一体的に付設されている。この＃１制御情報発信装置１１は、電力線１０に接続されていると共に、リモート端末装置２１から発光される赤外線を受光する赤外線受光部１１ａを備えている。又、＃１制御情報発信装置１１の内部には、マイクロコンピュータが内蔵されており、このマイクロコンピュータにより、＃１制御情報発信装置１１で必要な制御が行われる。
【００５０】
＃１制御情報発信装置１１のマイクロコンピュータは、リモート端末装置２１から発光される赤外線が＃１制御情報発信装置１１の赤外線受光部１１ａにより受光されると、この赤外線に重畳されていた信号を分離すると共に、分離したこの信号に基づき、照明ユニットアドレスを示すアドレス情報と制御情報を含むデータ情報とで構成されるブロードキャスト信号を生成すると共に、電力線１０に重畳して発信する。
【００５１】
例えば、＃１照明装置１の＃１Ａ照明ユニット１ａを点灯する場合は、上位４ビット（Ｂ７〜Ｂ４）が１Ｈ、下位４ビット（Ｂ３〜Ｂ０）が１Ｈのブロードキャスト信号を生成し、＃１Ａ照明ユニット１ａを消灯する場合は、上位４ビット（Ｂ７〜Ｂ４）が１Ｈ、下位４ビット（Ｂ３〜Ｂ０）が２Ｈのブロードキャスト信号を生成する。又、＃２照明装置２の＃２Ａ照明ユニット２ａを点灯する場合は、上位４ビット（Ｂ７〜Ｂ４）が２Ｈ、下位４ビット（Ｂ３〜Ｂ０）が１Ｈのブロードキャスト信号を生成し、＃２Ａ照明ユニット２ａを消灯する場合は、上位４ビット（Ｂ７〜Ｂ４）が２Ｈ、下位４ビット（Ｂ３〜Ｂ０）が２Ｈのブロードキャスト信号を生成する。
【００５２】
このブロードキャスト信号は、電力線１０に接続されている全ての装置により受信されるが、このブロードキャスト信号が制御に用いられるのは、このブロードキャスト信号に含まれているアドレス情報が示す照明ユニットアドレスが付与されている照明ユニットのみである。
【００５３】
次に、＃１照明装置１について説明する。図４において、＃１照明装置１は、上述したように、一つの照明ユニットである＃１Ａ照明ユニット１ａで構成されている。この＃１Ａ照明ユニット１ａは、＃１Ａ信号受信部１ａ１、＃１Ａ電力受給制御部１ａ２、＃１Ａ照明部１ａ３、及び、＃１Ａ状態情報発信部１ａ４で構成されており、これらが、＃１照明装置１に一体的に組込まれている。この内、＃１Ａ信号受信部１ａ１は電力線１０に接続され、＃１Ａ電力受給制御部１ａ２は＃１Ａ信号受信部１ａ１と電力線１０とに接続されている。＃１Ａ照明部１ａ３は＃１Ａ電力受給制御部１ａ２に接続されており、この＃１Ａ電力受給制御部１ａ２を介して電力線１０から電力供給を受ける。又、＃１Ａ状態情報発信部１ａ４は、電力線１０に接続されていると共に、＃１Ａ電力受給制御部１ａ２に接続されている。又、上述したように、＃１照明装置１には、＃１制御情報発信装置１１が一体的に付設されている。
【００５４】
即ち、＃１照明装置１の筐体には、＃１Ａ照明ユニット１ａを構成する、＃１Ａ信号受信部１ａ１、＃１Ａ電力受給制御部１ａ２、＃１Ａ照明部１ａ３、及び、＃１Ａ状態情報発信部１ａ４と、＃１制御情報発信装置１１とが取付けられており、これらが一体をなしている。又、＃１Ａ照明部１ａ３は、白熱ランプや、蛍光灯、発光ダイオード等で構成されており、＃１照明装置１における＃１Ａ照明ユニット１ａの照明機能、即ち、＃１照明装置１の照明機能の役割を担う部分である。
【００５５】
＃１照明装置１における＃１Ａ照明ユニット１ａの＃１Ａ信号受信部１ａ１は、上述したように、電力線１０に接続されていると共に、マイクロコンピュータを内蔵している。このマイクロコンピュータを備えた＃１Ａ信号受信部１ａ１は、電力線１０に重畳して発信された全てのブロードキャスト信号を受信する。そして、受信したブロードキャスト信号に含まれているアドレス情報が示す照明ユニットアドレスが、予め、マイクロコンピュータに備えられている＃１Ａ照明ユニット１ａに付与されているアドレス１Ｈと一致するか否かをチェックする。一致しなければ、ブロードキャスト信号に含まれているデータ情報は、自己宛てではないと判断して、ブロードキャスト信号に含まれているデータ情報を無視する。一致すれば、ブロードキャスト信号に含まれているデータ情報は、自己宛てであると判断し、ブロードキャスト信号に含まれているデータ情報を取り出して、＃１Ａ電力受給制御部１ａ２へ提供する。
【００５６】
＃１照明装置１における＃１Ａ照明ユニット１ａの＃１Ａ電力受給制御部１ａ２は、マイクロコンピュータを内蔵していると共にリレーを備えている。このリレーの接点は、電力線１０と＃１Ａ照明部１ａ３との間に挿入されるように接続されており、このリレーのＯＮ、ＯＦＦ動作により、＃１Ａ照明部１ａ３のＯＮ、ＯＦＦ制御が行われる。つまり、マイクロコンピュータを備えた＃１Ａ電力受給制御部１ａ２は、＃１Ａ信号受信部１ａ１から提供されたデータ情報に含まれる制御情報により、上記のリレーのＯＮ、ＯＦＦを行う。
【００５７】
例えば、データ情報に含まれる制御情報が１Ｈであれば、照明装置ＯＮ指令であるので、上記のリレーをＯＮして、＃１Ａ照明部１ａ３を点灯させる。上記のリレーが既にＯＮ状態であれば、その状態をそのまま継続する。又、データ情報に含まれる制御情報が２Ｈであれば、照明装置ＯＦＦ指令であるので、上記のリレーをＯＦＦして、＃１Ａ照明部１ａ３を消灯させる。上記のリレーが既にＯＦＦ状態であれば、その状態をそのまま継続する。尚、後述するように、データ情報が制御情報ではなく、上述した状態情報である場合があるが、この場合は、この状態情報を＃１Ａ電力受給制御部１ａ２のマイクロコンピュータが無視するようにしている。
【００５８】
このようにして、リレーに対する制御を終了すると、＃１Ａ電力受給制御部１ａ２は、この＃１Ａ電力受給制御部１ａ２に接続されている＃１Ａ状態情報発信部１ａ４に、上記のリレーのＯＮ、ＯＦＦ状態の情報を提供する。
【００５９】
＃１照明装置１における＃１Ａ照明ユニット１ａの＃１Ａ状態情報発信部１ａ４は、上述したように、電力線１０及び＃１Ａ電力受給制御部１ａ２に接続されていると共に、マイクロコンピュータを内蔵している。このマイクロコンピュータを備えた＃１Ａ状態情報発信部１ａ４は、上記の＃１Ａ電力受給制御部１ａ２からこの＃１Ａ電力受給制御部１ａ２のリレーのＯＮ、ＯＦＦ状態の情報の提供を受けると、このリレーのＯＮ、ＯＦＦ状態を基に、＃１照明装置１における＃１Ａ照明ユニット１ａの状態情報を形成して、＃１照明装置１の照明ユニットアドレスを示すアドレス情報と共に、ブロードキャスト信号を生成し、電力線１０に重畳して発信する。
【００６０】
即ち、＃１照明装置１の＃１Ａ照明ユニット１ａに付与されている照明ユニットアドレスは１Ｈであるので、例えば、＃１照明装置１における＃１Ａ照明ユニット１ａの＃１Ａ電力受給制御部１ａ２から提供されたリレーの状態がＯＮであれば、状態情報が９Ｈ、アドレス情報が１Ｈのブロードキャスト信号を生成すると共に、電力線１０に重畳して発信する。＃１Ａ電力受給制御部１ａ２から提供されたリレーの状態がＯＦＦであれば、状態情報がＡＨ、アドレス情報が１Ｈのブロードキャスト信号を生成すると共に、電力線１０に重畳して発信する。このブロードキャスト信号は、上述した＃１制御情報発信装置１１が電力線１０に重畳して発信したブロードキャスト信号と同様、電力線１０に接続されている全ての装置により受信される。しかし、上記の場合、ブロードキャスト信号のデータ情報は状態情報であるので、＃１照明装置１における＃１Ａ照明ユニット１ａでは、このブロードキャスト信号が上述したように無視される。この場合、後述する照明モニタ装置３１においてのみ、このブロードキャスト信号が有効に用いられる。
【００６１】
次に、＃２照明装置２について説明する。＃２照明装置２も、＃１照明装置１と同様、上述したように、一つの照明ユニットである＃２Ａ照明ユニット２ａで構成されている。この＃２Ａ照明ユニット２ａは、＃２Ａ信号受信部２ａ１、＃２Ａ電力受給制御部２ａ２、＃２Ａ照明部２ａ３、及び、＃２Ａ状態情報発信部２ａ４で構成されており、これらが、＃２照明装置２に一体的に組込まれている。又、＃２照明装置２にも、＃１照明装置１と同様、＃２制御情報発信装置１２が一体的に付設されている。即ち、＃２照明装置２の筐体には、＃２Ａ照明ユニット２ａを構成する＃２Ａ信号受信部２ａ１、＃２Ａ電力受給制御部２ａ２、＃２Ａ照明部２ａ３、及び、＃２Ａ状態情報発信部２ａ４と、＃２制御情報発信装置１２とが取付けられており、これらが一体をなしている。これらの＃２Ａ信号受信部２ａ１、＃２Ａ電力受給制御部２ａ２、＃２Ａ照明部２ａ３、＃２Ａ状態情報発信部２ａ４、及び、＃２制御情報発信装置１２は、上述した同名の部や装置と同じ機能を備えている。
【００６２】
即ち、リモート端末装置２１が、＃２照明装置２の＃２制御情報発信装置１２に向けて操作された場合、＃２制御情報発信装置１２は、＃１制御情報発信装置１１と同様の処理を行う。又、＃２照明装置２における＃２Ａ照明ユニット２ａの＃２Ａ信号受信部２ａ１は、電力線１０に重畳されたブロードキャスト信号を受信する。この＃２Ａ信号受信部２ａ１は、＃２Ａ照明ユニット２ａに付与されている照明ユニットアドレスが２Ｈであるので、受信したブロードキャスト信号に含まれているアドレス情報が示す照明ユニットアドレスが２Ｈであれば、このブロードキャスト信号のデータ情報に含まれる制御情報は自己宛てであると判断する。この場合に、＃２Ａ照明ユニット２ａの＃２Ａ電力受給制御部２ａ２は、このブロードキャスト信号のデータ情報に含まれる制御情報に基づき、＃１照明装置１と同様にして処理する。又、＃２Ａ照明ユニット２ａの＃２Ａ状態情報発信部２ａ４も、＃１照明装置１と同様にして処理する。
【００６３】
上述した説明から分かるとおり、＃１照明装置１の＃１Ａ照明ユニット１ａ及び＃２照明装置２の＃２Ａ照明ユニット２ａは、リモート端末装置２１が＃１照明装置１に付設されている＃１制御情報発信装置１１に向けて操作されようと、＃２照明装置２に付設されている＃２制御情報発信装置１２に向けて操作されようと、受信したブロードキャスト信号に含まれているアドレス情報が自己に付与された照明ユニットアドレスを示す場合にのみ、ブロードキャスト信号により制御される。
【００６４】
即ち、＃１照明装置１に付設された＃１制御情報発信装置１１にリモート端末装置２１を向けて操作することにより、リモート端末装置２１が向けられている＃１照明装置１の＃１Ａ照明ユニット１ａに対しても、リモート端末装置２１が向けられていない＃２照明装置２の＃２Ａ照明ユニット２ａに対しても、いずれに対する制御をも行うことができる。同様に、＃２照明装置２に付設された＃２制御情報発信装置１２にリモート端末装置２１を向けて操作することにより、リモート端末装置２１が向けられている＃２照明装置２の＃２Ａ照明ユニット２ａに対しても、リモート端末装置２１が向けられていない＃１照明装置１の＃１Ａ照明ユニット１ａに対しても、いずれに対する制御をも行うことができる。
【００６５】
従って、例えば、リモート端末装置２１の操作者が、＃１照明装置１が設置された部屋にいる場合に、＃２照明装置２が、リモート端末装置２１を向けることができない隣の部屋に設置されている場合であっても、この＃２照明装置２の＃２Ａ照明ユニット２ａを制御することができる。即ち、リモート端末装置２１の操作者は、リモート端末装置２１を＃１照明装置１に付設されている＃１制御情報発信装置１１に向けて、＃２照明装置２の＃２Ａ照明ユニット２ａに付与されている照明ユニットアドレスを指定するように操作することによって、＃２照明装置２の＃２Ａ照明ユニット２ａを制御することができるのである。
【００６６】
次に、照明モニタ装置３１について説明する。図６は、照明モニタ装置３１の外観を示した外観図である。照明モニタ装置３１は、モニタ信号受信部３１ａと表示部３１ｂとで構成されている。モニタ信号受信部３１ａは電力線１０に接続され、表示部３１ｂは、モニタ信号受信部３１ａに接続されている。又、照明モニタ装置３１には、電力線１０に容易に接続できるようにするために、電力線１０に接続された室内の壁等に設けられたコンセントに差し込んで接続するための、ケーブル３１ｅとプラグ３１ｄが備えられている。
【００６７】
上記の照明モニタ装置３１は、直方体状のケースを備えており、このケースの内部にモニタ信号受信部３１ａと表示部３１ｂとが内蔵され、照明モニタ装置３１のケースの表面には、表示用発光ダイオード３１ｃが備えられている。又、照明モニタ装置３１のケースの表面には、図６に示すように、表示用発光ダイオード３１ｃに対応させて、それぞれの表示用発光ダイオード３１ｃが表示する照明装置の照明ユニットアドレスが表示されている。
【００６８】
照明モニタ装置３１のモニタ信号受信部３１ａは、マイクロコンピュータを備えており、このマイクロコンピュータを備えるモニタ信号受信部３１ａは、電力線１０に重畳して発信された全てのブロードキャスト信号を受信する。そして、受信したブロードキャスト信号に含まれるデータ情報が、予め、マイクロコンピュータに備えられている図３に示す状態情報のいずれかと一致するか否かをチェックする。このチェックで、一致しない場合は、このブロードキャスト信号を無視する。そして、一致する場合のみ、このブロードキャスト信号に含まれるアドレス情報と状態情報とを、照明モニタ装置３１の表示部３１ｂへ提供する。即ち、このブロードキャスト信号に含まれるデータ情報が状態情報である場合のみ、有効に使用される。
【００６９】
照明モニタ装置３１の表示部３１ｂはマイクロコンピュータを備えており、モニタ信号受信部３１ａからブロードキャスト信号に含まれるアドレス情報と状態情報とが提供されると、アドレス情報が示す照明ユニットアドレスの表示用発光ダイオード３１ｃに対して、状態情報に基づき、点灯又は消灯を指示する。例えば、照明ユニットアドレスが１Ｈで状態情報が９Ｈであれば、＃１Ａ照明ユニット１ａが点灯状態であることを表しているので、図６のＡＤ１に対応する表示用発光ダイオード３１ｃを点灯させる。既にＡＤ１の表示用発光ダイオード３１ｃが点灯状態であれば、その状態を継続する。照明ユニットアドレスが１Ｈで状態情報がＡＨであれば、＃１Ａ照明ユニット１ａが消灯状態であることを表しているので、図６のＡＤ１の表示用発光ダイオード３１ｃを消灯させる。既にＡＤ１の表示用発光ダイオード３１ｃが消灯状態であれば、その状態を継続する。同様にして、照明ユニットアドレスが２Ｈの場合は、＃２Ａ照明ユニット２ａに関するので、図６のＡＤ２に対応する表示用発光ダイオード３１ｃに対して、上記と同様の処理を行う。
【００７０】
上記の実施の形態１における照明システムによれば、照明装置１，２には制御情報発信装置１１，１２が付設されており、リモート端末装置２１をこの制御情報発信装置１１又は１２に向けて操作することにより、リモート端末装置２１が向けられた制御情報発信装置１１又は１２が付設されている照明装置１又は２の照明ユニット１ａ又は２ａを制御することができる。つまり、リモート端末装置２１から、このリモート端末装置２１を向ける照明装置１又は２の照明ユニット１ａ又は２ａの制御を指示するように信号を送信することで、リモート端末装置２１を向けた照明装置１又は２を制御することができる。
【００７１】
又、同様にして、リモート端末装置２１が向けられた制御情報発信装置１１又は１２が付設されている照明装置１又は２とは異なる照明装置２又は１の照明ユニット２ａ又は１ａに対しても、制御することができる。つまり、リモート端末装置２１から、このリモート端末装置２１を向ける照明装置１又は２以外の照明装置２又は１における照明ユニット２ａ又は１ａの制御を指示するように信号を送信することで、リモート端末装置２１の操作者がいる所から離れた場所に設置されていて、リモート端末装置２１を直接向けることができない照明装置２又は１に対しても制御することができる。従って、遠隔操作が可能な照明システムを構築することができる。
【００７２】
又、上記の照明システムでは、照明装置１，２の照明ユニット１ａ，２ａに、これらの照明ユニット１ａ，２ａを識別する照明ユニットアドレスが付与されていると共に、上述したブロードキャスト信号が、これらの照明ユニットアドレスを表すアドレス情報とこれらの照明ユニット１ａ，２ａに対する制御情報を含むデータ情報とで構成されている。又、制御情報発信装置１１、１２により電力線１０に重畳されて発信されたブロードキャスト信号は、全ての照明ユニット１ａ，２ａの信号受信部１ａ、２ａにより受信されるようになっている。そして、ブロードキャスト信号のアドレス情報が表す照明ユニットアドレスが付与されている照明ユニット１ａ，２ａの電力受給制御部１ｂ、２ｂのみが、ブロードキャスト信号のデータ情報に含まれる制御情報により制御されるようになっている。
【００７３】
従って、信号の送受信を行うに際し、送信元と受信先とを限定する必要がないので、信号の送受信をシンプルな仕組みで行うことができる。即ち、受信させたい照明ユニット１ａ，２ａに付与されている照明ユニットアドレスを表すアドレス情報とこの照明ユニット１ａ，２ａに対する制御情報を含むデータ情報とで構成されるブロードキャスト信号を、制御情報発信装置１１又は１２から電力線１０に重畳して発信するのみで、このブロードキャスト信号が全ての照明ユニット１ａ，２ａの信号受信部１ａ、２ａにより受信されるというシンプルな仕組みの送受信が可能である。そのため、制御情報発信装置１１，１２及び照明ユニット１ａ，２ａの信号受信部１ａ１、２ａ１をシンプルに構成することができる。
【００７４】
又、上記の照明システムでは、照明モニタ装置３１の信号受信部３１ａにより、ブロードキャスト信号が受信されると共に、照明モニタ装置３１の表示部３１ｂにより、ブロードキャスト信号のアドレス情報と、データ情報に含まれる状態情報とが、相互に対応させて表示される。従って、照明システムを構成する各照明装置１，２における照明ユニット１ａ，２ａの制御状況を個別に表示させることができ、照明システムを構成する各照明装置１，２における照明ユニット１ａ，２ａの制御状況を、容易に把握することができる。
【００７５】
＜実施の形態２＞
実施の形態２における照明システムは、実施の形態１における照明システムを構成している図４に示す上述した、＃１照明装置１、＃１制御情報発信装置１１、＃２照明装置２、＃２制御情報発信装置１２、照明モニタ装置３１、及び、リモート端末装置２１と、新たに追加される図７に示す、＃３照明装置３、及び、＃３制御情報発信装置１３とで構成されている。従って、実施の形態２における照明システムでは、まず、実施の形態１における照明システムの部分により、上述した実施の形態１における照明システムと同様の作用、効果を有している。
【００７６】
上記の実施の形態２における照明システムにおいて、＃３照明装置３には、３つの照明ユニット、即ち、＃３Ａ照明ユニット３ａ、＃３Ｂ照明ユニット３ｂ、及び、＃３Ｃ照明ユニット３ｃが備えられている。又、＃３照明装置３には、＃３制御情報発信装置１３が付設されている。又、＃３Ａ照明ユニット３ａには、照明ユニットアドレスＡＤ３が、＃３Ｂ照明ユニット３ｂには、照明ユニットアドレスＡＤ４が、そして、＃３Ｃ照明ユニット３ｃには、照明ユニットアドレスＡＤ５が、それぞれ付与されている。尚、図４の電力線１０と図７の電力線１０とは相互に接続されている。又、図７には、リモート端末装置２１が便宜上記載されているが、このリモート端末装置２１は、図４に示すリモート端末装置２１そのものである。
【００７７】
図７に記載されている、＃３照明装置３の＃３Ａ照明ユニット３ａ、＃３Ｂ照明ユニット３ｂ、及び、＃３Ｃ照明ユニット３ｃは、＃１照明装置１の＃１Ａ照明ユニット１ａ及び＃２照明装置２の＃２Ａ照明ユニット２ａと同様、それぞれ、信号受信部、電力受給制御部、照明部、及び、状態情報発信部を有しており、これらが＃３照明装置３の筐体に一体的に組込まれている。又、＃３照明装置３には、上述したように、＃３制御情報発信装置１３が付設されている。
【００７８】
即ち、＃３照明装置３＃の筐体には、＃３Ａ照明ユニット３ａを構成する、＃３Ａ信号受信部３ａ１、＃３Ａ電力受給制御部３ａ２、＃３Ａ照明部３ａ３、及び、＃３Ａ状態情報発信部３ａ４と、＃３Ｂ照明ユニット３ｂを構成する、＃３Ｂ信号受信部３ｂ１、＃３Ｂ電力受給制御部３ｂ２、＃３Ｂ照明部３ｂ３、及び、＃３Ｂ状態情報発信部３ｂ４と、＃３Ｃ照明ユニット３ｃを構成する、＃３Ｃ信号受信部３ｃ１、＃３Ｃ電力受給制御部３ｃ２、＃３Ｃ照明部３ｃ３、及び、＃３Ｃ状態情報発信部３ｃ４と、＃３制御情報発信装置１３とが取付けられており、これらが一体をなしている。
【００７９】
上記の各信号受信部、電力受給制御部、照明部、及び、状態情報発信部の機能は、実施の形態１における照明システムと変わるところはなく、実施の形態１における照明システムを構成している上述した同名の部や装置と同じ機能を備えている。そのため、＃３照明装置３に取付られている＃３Ａ照明ユニット３ａ、＃３Ｂ照明ユニット３ｂ、及び、＃３Ｃ照明ユニット３ｃは、実施の形態１における＃１照明装置１の＃１Ａ照明ユニット１ａ、及び、＃２照明装置２の＃２Ａ照明ユニット２ａと同様の作用、効果を有しており、＃３照明装置３に取付られている＃３制御情報発信装置１３は、実施の形態１における＃１制御情報発信装置１１、及び、＃２制御情報発信装置１２と同様の作用、効果を有している。
【００８０】
従って、上記の照明システムにおいて、実施の形態１で説明したように、リモート端末装置２１を＃１照明装置１に付設された＃１制御情報発信装置１１、又は、＃２照明装置２に付設された＃２制御情報発信装置１２のいずれに向けて操作をしてもよいほか、＃３照明装置３に付設された＃３制御情報発信装置１３に向けて操作をしてもよい。又、この操作の際、＃３照明装置３の＃３Ａ照明ユニット３ａ、＃３Ｂ照明ユニット３ｂ、又は、＃３Ｃ照明ユニット３ｃのそれぞれに付与されている照明ユニットアドレスを指定するように操作することによって、＃３照明装置３の＃３ＡＢ照明ユニット３ａ、＃３Ｂ照明ユニット３ｂ、又は、＃３Ｃ照明ユニット３ｃをそれぞれ制御することができる。又、当然のことながら、リモート端末装置２１を、＃３照明装置３に付設された＃３制御情報発信装置１３に向けて行う操作によって、＃１照明装置１の＃１Ａ照明ユニット１ａや＃２照明装置２の＃２Ａ照明ユニット２ａの制御を行うこともできる。
【００８１】
上記の照明システムによれば、照明装置として、個別に制御可能な複数の照明ユニットを備えた、即ち、個別に制御可能な複数の照明部を備えた照明装置を用いており、多様な形態の照明装置を構成要素とする照明システムを形成することができる。
【００８２】
上記の照明システムでは、＃３照明装置３は、３つの照明ユニットを備えているが、２つでもよく、或いは４つ以上でもよい。又、上記の照明システムでは、照明ユニットを備えたシステム構成要素として、＃１照明装置１、＃２照明装置２、及び、＃３照明装置３を用いているが、＃３照明装置３のみを用いるようにしてもよい。又、複数の照明ユニットを備えた照明装置としては、＃３照明装置３の１台のみであるが、＃３照明装置３と同様の構成の照明装置を、複数台使用するようにしてもよい。
【００８３】
＜実施の形態３＞
実施の形態３における照明システムは、実施の形態２における照明システムを構成している図４に示す上述した、＃１照明装置１、＃１制御情報発信装置１１、＃２照明装置２、＃２制御情報発信装置１２、照明モニタ装置３１、及び、リモート端末装置２１と、図７に示す上述した、＃３照明装置３、及び、＃３制御情報発信装置１３と、新たに追加される図８に示す、＃４照明装置４、及び、＃４制御情報発信装置１４とで構成されている。従って、実施の形態３における照明システムでは、まず、実施の形態２における照明システムの部分により、上述した実施の形態２における照明システムと同様の作用、効果を有している。
【００８４】
上記の実施の形態３における照明システムにおいて、＃４照明装置４には、実施の形態２における＃３照明装置３と同様、３つの照明ユニット、即ち、＃４Ａ照明ユニット４ａ、＃４Ｂ照明ユニット４ｂ、及び、＃４Ｃ照明ユニット４ｃが備えられている。又、＃４照明装置４には、＃４制御情報発信装置１４が付設されている。又、＃４Ａ照明ユニット４ａには、照明ユニットアドレスＡＤ６が、＃４Ｂ照明ユニット４ｂには、照明ユニットアドレスＡＤ７が、そして、＃４Ｃ照明ユニット４ｃには、照明ユニットアドレスＡＤ８が、それぞれ付与されている。尚、図７の電力線１０と図８の電力線１０とは相互に接続されている。又、図８には、リモート端末装置２１が便宜上記載されているが、このリモート端末装置２１は、図４に示すリモート端末装置２１そのものである。
【００８５】
図８に記載されている、＃４照明装置４の＃４Ａ照明ユニット４ａ、＃４Ｂ照明ユニット４ｂ、及び、＃４Ｃ照明ユニット４ｃは、実施の形態２における＃３照明装置３の＃３Ａ照明ユニット３ａ、＃３Ｂ照明ユニット３ｂ、及び、＃３Ｃ照明ユニット３ｃと同様、それぞれ、信号受信部、電力受給制御部、照明部、及び、状態情報発信部を有している。しかし、実施の形態２における＃３照明装置３では、これらが全て、＃３照明装置３の筐体に一体的に組込まれているのに対して、＃４照明装置４では、全てが＃４照明装置４の筐体に組込まれているのではない。即ち、＃４照明装置４の筐体に一体的に組込まれているのは、＃４Ａ照明ユニット４ａ、＃４Ｂ照明ユニット４ｂ、及び、＃４Ｃ照明ユニット４ｃにおける、信号受信部、電力受給制御部、及び、状態情報発信部と、＃４Ａ照明ユニット４ａにおける照明部のみであり、＃４Ｂ照明ユニット４ｂ、及び、＃４Ｃ照明ユニット４ｃの照明部は、＃４照明装置４の筐体には組込まれておらず、独立して設置されている。
【００８６】
つまり、＃４Ｂ照明ユニット４ｂ＃の筐体には、＃４Ａ照明ユニット４ａを構成する、＃４Ａ信号受信部４ａ１、＃４Ａ電力受給制御部４ａ２、＃４Ａ照明部４ａ３、及び、＃４Ａ状態情報発信部４ａ４と、＃４Ｂ照明ユニット４ｂを構成する、＃４Ｂ信号受信部４ｂ１、＃４Ｂ電力受給制御部４ｂ２、及び、＃４Ｂ状態情報発信部４ｂ４と、＃４Ｃ照明ユニット４ｃを構成する、＃４Ｃ信号受信部４ｃ１、＃４Ｃ電力受給制御部４ｃ２、及び、＃４Ｃ状態情報発信部４ｃ４と、＃４制御情報発信装置１４とが取付けられており、これらが一体をなしている。そして、＃４Ｂ照明ユニット４ｂの＃４Ｂ照明部４ｂ３、及び、＃４Ｃ照明ユニット４ｃの＃４Ｃ照明部４ｃ３は、上述したように、独立して設置されている。
【００８７】
しかし、上記の各信号受信部、電力受給制御部、照明部、及び、状態情報発信部の機能は、実施の形態２における照明システムと変わるところはなく、実施の形態２における照明システムを構成している上述した同名の部や装置と同じ機能を備えている。そのため、＃４照明装置４に取付られている＃４Ａ照明ユニット４ａ、＃４Ｂ照明ユニット４ｂ、及び、＃４Ｃ照明ユニット４ｃは、実施の形態２における＃３照明装置３の＃３Ａ照明ユニット３ａ、＃３Ｂ照明ユニット３ｂ、及び、＃３Ｃ照明ユニット３ｃと同様の作用、効果を有しており、＃４照明装置４に取付られている＃４制御情報発信装置１４は、実施の形態２における＃３照明装置３の＃３制御情報発信装置１３と同様の作用、効果を有している。
【００８８】
上記の照明システムによれば、照明装置として、個別に制御可能な複数の照明ユニットを備えた、即ち、個別に制御可能な複数の照明部を備えた照明装置を用いていると共に、一部の照明部を、照明装置に組込まずに、独立して設置しており、多様な形態の照明装置を構成要素とする照明システムを形成することができる。
【００８９】
上記の照明システムでは、＃４照明装置４は、３つの照明ユニットを備えているが、２つでもよく、或いは４つ以上でもよい。又、上記の照明システムでは、照明ユニットを備えたシステム構成要素として、＃１照明装置１、＃２照明装置２、＃３照明装置３、及び、＃４照明装置４を用いているが、＃３照明装置３と＃４照明装置４のみ、或いは＃１照明装置１及び＃２照明装置２と＃４照明装置４のみ、或いは、＃４照明装置４のみを用いるようにしてもよい。又、一部の照明部を、照明装置に組込まずに、独立して設置している照明装置としては、＃４照明装置４の１台のみであるが、＃４照明装置４と同様の構成の照明装置を、複数台使用するようにしてもよい。
【００９０】
＜実施の形態４＞
実施の形態４における照明システムは、実施の形態３における照明システムを構成している図４に示す上述した、＃１照明装置１、＃１制御情報発信装置１１、＃２照明装置２、＃２制御情報発信装置１２、照明モニタ装置３１、及び、リモート端末装置２１と、図７に示す上述した、＃３照明装置３、及び、＃３制御情報発信装置１３と、図８に示す上述した、＃４照明装置４、及び、＃４制御情報発信装置１４と、新たに追加される図９に示す＃６制御情報発信装置１６とで構成されている。従って、実施の形態４における照明システムでは、まず、実施の形態３における照明システムの部分により、上述した実施の形態３における照明システムと同様の作用、効果を有している。尚、図９の電力線１０は、図８の電力線１０に接続されている。又、図９には、リモート端末装置２１が便宜上記載されているが、このリモート端末装置２１は、図４に示すリモート端末装置２１そのものである。
【００９１】
上記の実施の形態４における照明システムの＃６制御情報発信装置１６は、直方体状のケースを備えている。図１０は、この＃６制御情報発信装置１６の外観を示した図であり、図１０（ａ）は平面図、図１０（ｂ）は側面図、そして、図１０（ｃ）は底面図である。＃６制御情報発信装置１６の機能は、実施の形態１で説明した＃１制御情報発信装置１１及び＃２制御情報発信装置１２、実施の形態２で説明した＃３制御情報発信装置１３、並びに、実施の形態３で説明した＃４制御情報発信装置１４の機能と全く同じであり、リモート端末装置２１から発光される赤外線を受光することにより、照明装置を制御するためのブロードキャスト信号を生成すると共に、電力線１０に重畳して発信する。従って、＃６制御情報発信装置１６は、ケースの表面に、＃１制御情報発信装置１１等と同様、赤外線受光部１６ａを備えていると共に、電力線１０に接続され、ケースの内部には、制御用のマイクロコンピュータを備えている。
【００９２】
＃６制御情報発信装置１６が、＃１制御情報発信装置１１、＃２制御情報発信装置１２及び＃３制御情報発信装置１３と異なるのは、照明装置に付設されるのではなく、独立して設置される点である。このため、＃６制御情報発信装置１６では、電力線１０に接続された室内の壁等に設けられたコンセントに差し込むことで容易に設置できるように、ケースの裏面に、プラグ１６ｆが備えられている。
【００９３】
上記の照明システムによれば、リモート端末装置２１を、＃６制御情報発信装置１６に向けて操作することにより、リモート端末装置２１を、＃１照明装置１に付設された＃１制御情報発信装置１１や＃２照明装置２に付設された＃２制御情報発信装置１２、＃３照明装置３に付設された＃３制御情報発信装置１３、或いは、＃４照明装置４に付設された＃４制御情報発信装置１４に向けて操作するのと同様に、電力線１０に接続された各照明装置の制御を行うことができる。
【００９４】
従って、リモート端末装置２１を照明装置に付設された制御情報発信装置に向けて操作するのに代えて、リモート端末装置２１を上記の独立して設置された＃６制御情報発信装置１６に向けて操作しても、電力線１０に接続された各照明装置の制御を行うことができるので、操作の選択肢を増やすことができる。
【００９５】
＜実施の形態５＞
実施の形態５における照明システムは、実施の形態４における照明システムにおいて、＃６制御情報発信装置１６に代えて、＃７制御情報発信装置１７を用いたものである。この＃７制御情報発信装置１７は、直方体状のケースを備えている。図１１は、この＃７制御情報発信装置１７の外観を示した図であり、図１１（ａ）は平面図、図１１（ｂ）は側面図、そして、図１１（ｃ）は底面図である。＃７制御情報発信装置１７も＃６制御情報発信装置１６と同様、電力線１０に接続された室内の壁等に設けられたコンセントに差し込むことで容易に設置できるように、ケースの裏面に、プラグ１７ｆが備えられている。
【００９６】
実施の形態５における＃７制御情報発信装置１７は、＃６制御情報発信装置１６とリモート端末装置２１とを一体化したような構成である。即ち、＃７制御情報発信装置１７は、電力線１０に接続されると共に、ケースの内部にマイクロコンピュータを内蔵している。又、ケースの表面には、リモート端末装置２１と同じく、テンキー１７ｂ、アドレスキー１７ｃ、ＯＮキー１７ｄ、及び、ＯＦＦキー１７ｅが備えられている。
【００９７】
この＃７制御情報発信装置１７も、＃６制御情報発信装置１６と同様、照明装置を制御するためのブロードキャスト信号を生成すると共に、電力線１０に重畳して発信する。しかし、＃７制御情報発信装置１７が、＃６制御情報発信装置１６と異なるのは、＃６制御情報発信装置１６のように、リモート端末装置２１から発光される赤外線を受光するのではなく、リモート端末装置２１の操作者がケースの表面に備えられた各種のキーを操作することにより、照明装置を制御するためのブロードキャスト信号を生成すると共に、電力線１０に重畳して発信する点である。
【００９８】
即ち、テンキー１７ｂ、アドレスキー１７ｃを操作して、照明ユニットアドレスをして指定し、ＯＮキー１７ｄ、又は、ＯＦＦキー１７ｅを操作して照明装置のＯＮ、又はＯＦＦを指定する。従って、＃７制御情報発信装置１７の操作の方法は、上述したリモート端末装置２１の操作方法と全く同じである。尚、＃７制御情報発信装置１７においても、リモート端末装置２１と同様、アドレスキー１７ｃを設けずに、テンキー１７ｃによりアドレス番号を入力後すぐにＯＮキー１７ｄ又はＯＦＦキー１７ｅを押すようにしてもよい。
【００９９】
上記の照明システムによれば、リモート端末装置２１を照明装置に付設された制御情報発信装置に向けて操作するのに代えて、上記の独立して設置される＃７制御情報発信装置１７に備えられたスイッチを操作することにより、電力線１０に接続された照明装置の制御を行うことができるので、操作の選択肢を増やすことができる。
【０１００】
＜実施の形態６＞
実施の形態６における照明システムは、実施の形態４における照明システムにおいて、＃６制御情報発信装置１６に代えて、図１２に示す＃８制御情報発信装置１８を用いたものである。尚、図１２の電力線１０は、図８の電力線１０に接続されている。又、図１２には、リモート端末装置２１が便宜上記載されているが、このリモート端末装置２１は、図４に示すリモート端末装置２１そのものである。
【０１０１】
実施の形態６における＃８制御情報発信装置１８は、直方体状のケースを備えている。図１３は、この＃８制御情報発信装置１８の外観を示した図であり、図１３（ａ）は平面図、図１３（ｂ）は側面図、そして、図１３（ｃ）は底面図である。＃８制御情報発信装置１８も＃６制御情報発信装置１６と同様、電力線１０に接続された室内の壁等に設けられたコンセントに差し込むことで容易に設置できるように、ケースの裏面に、プラグ１８ｆが備えられている。
【０１０２】
この＃８制御情報発信装置１８は、＃６制御情報発信装置１６の機能と、＃７制御情報発信装置１７の機能とを合体させたような構成である。即ち、＃８制御情報発信装置１８は、電力線１０に接続されると共に、ケースの内部にマイクロコンピュータを内蔵している。又、ケースの表面には、＃６制御情報発信装置１６等と同様、赤外線受光部１８ａが備えられていると共に、＃７制御情報発信装置１７等と同様、テンキー１８ｂ、アドレスキー１８ｃ、ＯＮキー１８ｄ、及び、ＯＦＦキー１８ｅが備えられている。
【０１０３】
この＃８制御情報発信装置１８も、＃６制御情報発信装置１６と同様、照明装置を制御するためのブロードキャスト信号を生成すると共に、電力線１０に重畳して発信する。しかし、＃８制御情報発信装置１８が、＃６制御情報発信装置１６と異なるのは、＃６制御情報発信装置１６がリモート端末装置２１から発光される赤外線を受光することで、上記の動作を行うのに対して、＃８制御情報発信装置１８は、リモート端末装置２１から発光される赤外線を受光することで、上記の動作を行うだけではなく、ケースの表面に備えられた各種のキーを操作することでも、上記の動作を行う点である。
【０１０４】
上記の照明システムによれば、リモート端末装置２１を照明装置に付設された制御情報発信装置に向けて操作するのに代えて、リモート端末装置２１を上記の独立して設置された＃６制御情報発信装置１６に向けて操作することによって、或いは、＃８制御情報発信装置１８に備えられた各種のキーを操作することによって、電力線１０に接続された照明装置の制御を行うことができるので、操作の選択肢を増やすことができる。
【０１０５】
＜実施の形態７＞
実施の形態７における照明システムは、上述した実施の形態１〜６における照明システムにおいて、照明モニタ装置３１に代えて、図１４に示す、照明監視制御装置４１を用いたものである。照明監視制御装置４１は、上記の照明モニタ装置３１の機能に、実施の形態５における＃７制御情報発信装置１７の機能を加えたものである。但し、＃７制御情報発信装置１７とは異なり、照明監視制御装置４１では、テンキーで照明ユニットアドレスを入力するのではなく、照明ユニットアドレスに対応したキーを操作することにより、制御しようとする照明装置を指定する仕組みとしている。
【０１０６】
実施の形態７における照明監視制御装置４１は、図１４において、制御情報発信部４２とモニタ部４３とで構成されており、モニタ部４３は、照明モニタ装置３１と同様、モニタ信号受信部４３ａと表示部４３ｂとで構成されている。制御情報発信部４２とモニタ部４３のモニタ信号受信部４３ａは共に、電力線１０に接続されており、表示部４３ｂは、モニタ信号受信部４３ａに接続されている。尚、図１４の電力線１０は、図４、図７及び図８の電力線１０に接続されると共に、図９や図１２の電力線１０にも接続される。
【０１０７】
上記の照明監視制御装置４１は、直方体状のケースを備えている。図１５は、この照明監視制御装置４１の外観を示した図であり、図１５（ａ）は平面図、図１５（ｂ）は側面図、そして、図１５（ｃ）は底面図である。照明監視制御装置４１には、照明監視制御装置４１を電力線１０に接続するために、電力線１０に接続された室内の壁等に設けられたコンセントに差し込んで接続するためのケーブル４１ｂとプラグ４１ａが備えられている。又、照明監視制御装置４１のケースの表面には、照明装置のアドレスＡＤ１〜ＡＤ８に対応させて、照明装置の動作状態を表示する表示用発光ダイオード４３ｃと、照明装置を制御するためのＯＮキー４２ａ及びＯＦＦキー４２ｂが備えられている。この内、ＯＮキー４２ａ及びＯＦＦキー４２ｂは、制御情報発信部４２に接続されており、表示用発光ダイオード４３ｃは、モニタ部４３の表示部４３ｂを構成している。
【０１０８】
照明監視制御装置４１の制御情報発信部４２は、マイクロコンピュータを備えており、＃７制御情報発信装置１７と同様、照明装置を制御するためのブロードキャスト信号を生成すると共に、電力線１０に重畳して発信する。この場合に、制御情報発信部４２では、上述したように、照明ユニットアドレスに対応したＯＮキー４２ａ又はＯＦＦキー４２ｂを操作することにより、ブロードキャスト信号を生成する。又、照明監視制御装置４１のモニタ部４３は、実施の形態１における照明モニタ装置３１の構成と同じであるので、作用、効果も、実施の形態１における照明モニタ装置３１と同じである。従って、照明監視制御装置４１を１台設置することにより、上述した実施の形態１〜６の照明システムにおける全ての照明装置の状態監視と制御を行うことができる。
【０１０９】
上述した実施の形態４〜６における照明システムは、＃６制御情報発信装置１６、＃７制御情報発信装置１７、又は、＃８制御情報発信装置１８をそれぞれ個別に使用するシステムであるが、これらの各制御情報発信装置を併用して使用するようにしてもよい。又、実施の形態７における照明システムでは、照明装置の状態を表示する機能を有する装置としては、照明モニタ装置３１に代えて照明監視制御装置４１を使用しているが、この照明監視制御装置４１と照明モニタ装置３１とを併用して使用するようにしてもよい。
【０１１０】
又、上述した各実施の形態における照明システムでは、照明装置の照明ユニットに対する制御内容としては、照明装置をＯＮするＯＮ指令と、照明装置をＯＦＦするＯＦＦ指令のみであるが、これらに加えて、照明装置の調光制御を行うようにすることもできる。この場合、例えば、調光制御として、明るさを４段階とし、制御情報として、調光ＵＰ指令と調光ＤＯＷＮ指令とを設けると共に、状態情報として、調光段階１〜４を設けるようにする。そして、照明装置は、調光ＵＰ指令を受けると調光段階を一つ上げ、調光ＤＯＷＮ指令を受けると調光段階を一つ下げるような制御を行うと共に、調光ＵＰ指令又は調光ＤＯＷＮ指令を受けて変更された後の照明装置の調光段階を、状態情報として用いるようにする。図１６は、このようにした場合におけるブロードキャスト信号のデータ情報の構成を示したテーブルである。
【０１１１】
上記の例では、照明装置の明るさを４段階としているが、この明るさの段階数を５段階以上にすることもできる。この場合は、明るさの段階数によっては、データ情報を構成するビット数を増やす必要があり、その場合は、ブロードキャスト信号を構成するビット数を増やす必要がある。
【０１１２】
又、上述した各実施の形態における照明システムでは、各照明ユニットには異なる照明ユニットアドレスが付与されているが、複数の照明ユニットに同一の照明ユニットアドレスを付与するようにしてもよい。この場合は、この照明ユニットアドレスをアドレス情報とする一つのブロードキャスト信号で、この照明ユニットアドレスが付与された全ての照明ユニットを同時に制御することができる。
【０１１３】
又、上述した各実施の形態における照明システムでは、アドレス情報を４ビットで構成しているが、このビット数を増やすことにより、制御可能な照明ユニットの最大数を増やすことができる。
【０１１４】
又、上述した各実施の形態における照明システムでは、複数のブロードキャスト信号が重なって発信される可能性がある。このため、上述した照明システムにおいては、ＬＡＮで使用されているＣＳＭＡ／ＣＤ方式のような仕組みを用いている。即ち、ブロードキャスト信号を発信する制御情報発信装置や各照明ユニットの状態情報発信部は、ブロードキャスト信号の発信に際して、他から既にブロードキャスト信号が発信されていないか監視すると共に、発信されていることを検知すると、乱数によりタイムアップ時間をセットしたタイマー等を用いてその終了を待った後、発信する仕組みとして、複数のブロードキャスト信号が重なって発信されるのを回避している。
【図面の簡単な説明】
【０１１５】
【図１】実施の形態１における照明システムで使用されるブロードキャスト信号の構成図である。
【図２】ブロードキャスト信号のアドレス情報の構成を示したテーブルである。
【図３】ブロードキャスト信号のデータ情報の構成を示したテーブルである。
【図４】実施の形態１における照明システムの構成を示したブロック図である。
【図５】実施の形態１におけるリモート端末装置の外観図である。
【図６】実施の形態１における照明モニタ装置の外観図である。
【図７】実施の形態２における照明システムの構成の一部を示したブロック図である。
【図８】実施の形態３における照明システムの構成の一部を示したブロック図である。
【図９】実施の形態４における照明システムの構成の一部を示したブロック図である。
【図１０】実施の形態４における＃６制御情報発信装置の外観を示した図であり、（ａ）はその平面図、（ｂ）はその側面図、そして、（ｃ）はその底面図である。
【図１１】実施の形態５における＃７制御情報発信装置の外観を示した図であり、（ａ）はその平面図、（ｂ）はその側面図、そして、（ｃ）はその底面図である。
【図１２】実施の形態６における照明システムの構成の一部を示したブロック図である。
【図１３】実施の形態６における＃８制御情報発信装置の外観を示した図であり、（ａ）はその平面図、（ｂ）はその側面図、そして、（ｃ）はその底面図である。
【図１４】実施の形態７における照明システムの構成の一部を示したブロック図である。
【図１５】実施の形態７における照明監視制御装置の外観を示した図である。
【図１６】実施の形態１における照明システムに調光制御を導入した場合のブロードキャスト信号におけるデータ情報の構成の例を示したテーブルである。
【符号の説明】
【０１１６】
１  ＃１照明装置
１ａ  ＃１Ａ照明ユニット
１ａ１  ＃１Ａ信号受信部
１ａ２  ＃１Ａ電力受給制御部
１ａ３  ＃１Ａ照明部
１ａ４  ＃１Ａ状態情報発信部
２  ＃２照明装置
２ａ  ＃２Ａ照明ユニット
２ａ１  ＃２Ａ信号受信部
２ａ２  ＃２Ａ電力受給制御部
２ａ３  ＃２Ａ照明部
２ａ４  ＃２Ａ状態情報発信部
３  ＃３照明装置
３ａ  ＃３Ａ照明ユニット
３ａ１  ＃３Ａ信号受信部
３ａ２  ＃３Ａ電力受給制御部
３ａ３  ＃３Ａ照明部
３ａ４  ＃３Ａ状態情報発信部
３ｂ  ＃３Ｂ照明ユニット
３ｂ１  ＃３Ｂ信号受信部
３ｂ２  ＃３Ｂ電力受給制御部
３ｂ３  ＃３Ｂ照明部
３ｂ４  ＃３Ｂ状態情報発信部
３ｃ  ＃３Ｃ照明ユニット
３ｃ１  ＃３Ｃ信号受信部
３ｃ２  ＃３Ｃ電力受給制御部
３ｃ３  ＃３Ｃ照明部
３ｃ４  ＃３Ｃ状態情報発信部
４  ＃４照明装置
４ａ  ＃４Ａ照明ユニット
４ａ１  ＃４Ａ信号受信部
４ａ２  ＃４Ａ電力受給制御部
４ａ３  ＃４Ａ照明部
４ａ４  ＃４Ａ状態情報発信部
４ｂ  ＃４Ｂ照明ユニット
４ｂ１  ＃４Ｂ信号受信部
４ｂ２  ＃４Ｂ電力受給制御部
４ｂ３  ＃４Ｂ照明部
４ｂ４  ＃４Ｂ状態情報発信部
４ｃ  ＃４Ｃ照明ユニット
４ｃ１  ＃４Ｃ信号受信部
４ｃ２  ＃４Ｃ電力受給制御部
４ｃ３  ＃４Ｃ照明部
４ｃ４  ＃４Ｃ状態情報発信部
１０  電力線
１１  ＃１制御情報発信装置
１１ａ  赤外線受光部
１２  ＃２制御情報発信装置
１２ａ  赤外線受光部
１３  ＃３制御情報発信装置
１３ａ  赤外線受光部
１４  ＃４制御情報発信装置
１４ａ  赤外線受光部
１６  ＃６制御情報発信装置
１６ａ  赤外線受光部
１６ｆ  プラグ端子
１７  ＃７制御情報発信装置
１７ｂ  テンキー
１７ｃ  アドレスキー
１７ｄ  ＯＮキー
１７ｅ  ＯＦＦキー
１７ｆ  プラグ端子
１８  ＃８制御情報発信装置
１８ａ  赤外線受光部
１８ｂ  テンキー
１８ｃ  アドレスキー
１８ｄ  ＯＮキー
１８ｅ  ＯＦＦキー
１８ｆ  プラグ端子
２１  リモート端末装置
２１ａ  赤外線発光部
２１ｂ  テンキー
２１ｃ  アドレスキー
２１ｄ  ＯＮキー
２１ｅ  ＯＦＦキー
３１  照明モニタ装置
３１ａ  モニタ信号受信部
３１ｂ  表示部
３１ｃ  表示用発光ダイオード
３１ｄ  プラグ
３１ｅ  ケーブル
４１  照明監視制御装置
４１ａ  プラグ
４１ｂ  ケーブル
４２  制御情報発信部
４２ａ  ＯＮキー
４２ｂ  ＯＦＦキー
４３  モニタ部
４３ａ  モニタ信号受信部
４３ｂ  表示部
４３ｃ  表示用発光ダイオード
【図１】
2007005019.tif 000003
【図２】
2007005019.tif 000004
【図３】
2007005019.tif 000005
【図４】
2007005019.tif 000006
【図５】
2007005019.tif 000007
【図６】
2007005019.tif 000008
【図７】
2007005019.tif 000009
【図８】
2007005019.tif 000010
【図９】
2007005019.tif 000011
【図１０】
2007005019.tif 000012
【図１１】
2007005019.tif 000013
【図１２】
2007005019.tif 000014
【図１３】
2007005019.tif 000015
【図１４】
2007005019.tif 000016
【図１５】
2007005019.tif 000017
【図１６】
2007005019.tif 000018